(57)【要約】【課題】ガムや木の枝等の異物をキーハンドルの挿入口に詰め込まれることがない、ロックハンドル装置の挿入口用ガードロック装置を提供する。【解決手段】ロックハンドル装置の施錠軸３の挿入口６に抜差しされる栓体８と、栓体８の前部に設けられた錠前ユニット９と、錠前ユニット９のロータ１０に連動装備して栓体８に収容されたロック部材１１とからなり、鍵１２によってロータ１０を解錠位置に回したときには、ロック部材１１のロック部１３が非干渉位置に退没しており、栓体８を挿入口６に挿入してからロータ１０を施錠位置に回したとき、ロック部１３が栓体８から干渉位置に突出し、施錠軸３または受座本体２側に形成したロック受部１４の内面側に係合する。【選択図】    図１１
2004257200.tif 000002
【特許請求の範囲】
【請求項１】
パネル１に固着される受座本体２に対して施錠軸３が回転可能に支持され、施錠軸３と受座本体２間に装備した拘束部材４によって施錠軸３が回転不能に拘束され、挿入口６から施錠軸３のハンドル係脱溝５に挿入したキーハンドル７によって拘束部材４を拘束解除位置に移動させるようにしたロックハンドル装置における挿入口用ガードロック装置であって、
挿入口６に抜差しされる栓体８と、栓体８の前部に設けられた錠前ユニット９と、錠前ユニット９のロータ１０に連動装備して栓体８に収容されたロック部材１１とからなり、鍵１２によってロータ１０を解錠位置に回したときには、ロック部材１１のロック部１３が非干渉位置に退没しており、栓体８を挿入口６に挿入してからロータ１０を施錠位置に回したとき、ロック部１３が栓体８から干渉位置に突出し、施錠軸３または受座本体２側に形成したロック受部１４の内面側に係合するようにしたロックハンドル装置の挿入口用ガードロック装置。
【請求項２】
前記ロック受部１４を挿入口６の縁面の邪魔突子によって構成し、栓体８の溝孔部３６に回転可能に収容保持したピン状のロック部材１１を錠前ユニット９のロータ１０に接続し、栓体８の前面部に前記ロック受部１４が通過する逃げ溝４２を形成し、該逃げ溝４２に連通可能な縦溝４３をロック部材１１の側面部に形成し、該縦溝４３の奥端部に横溝４４を形成し、前記ロック部１３を横溝４４の後側の溝壁面によって構成したことを特徴とする請求項１に記載したロックハンドル装置の挿入口用ガードロック装置。
【発明の詳細な説明】
【０００１】
【発明の属する技術分野】本発明は、キーハンドルが抜差しされるロックハンドル装置の挿入口用ガードロック装置に関するものである。
【０００２】
【従来の技術】図１７に示したようにパネル１に固着される受座本体２に対して施錠軸３が回転可能に支持され、施錠軸３と受座本体２間に装備した拘束部材４によって施錠軸３が回転不能に拘束され、挿入口６から施錠軸３のハンドル係脱溝５に挿入したキーハンドル７によって拘束部材４を拘束解除位置に移動させるようにしたロックハンドル装置は、既に知られている（例えば特許文献１参照）。
【０００３】
このようなロックハンドル装置は路上設置の通信機器収納ボックス等において広く使用されているが、最近の公徳心の低下傾向によりキーハンドルの挿入口に通行人等が面白半分で噛んでいたガムや拾った木の枝等といった異物を詰め込み、キーハンドルを差し込めないようにする悪戯が発生している。
異物が存在するときには、その除去作業を行わなければならないので、必要に応じてキーハンドルを直ちに挿入して施錠軸を回転操作することができなかった。
【０００４】
【特許文献１】実公平２−２３７２６号公報
【０００５】
【発明が解決しようとする課題】したがって本発明の目的は、ロックハンドル装置のキーハンドルの挿入口に対する異物の詰め込みを確実に阻止できる挿入口用ガードロック装置を提供することである。
【０００６】
【課題を解決するための手段】上記課題を解決するため、請求項１の発明の挿入口用ガードロック装置は、キーハンドル７の挿入口６に抜差しされる栓体８と、栓体８の前部に設けられた錠前ユニット９と、錠前ユニット９のロータ１０に連動装備して栓体８に収容されたロック部材１１とからなり、鍵１２によってロータ１０を解錠位置に回したときには、ロック部材１１のロック部１３が非干渉位置に退没しており、栓体８を挿入口６に挿入してからロータ１０を施錠位置に回したとき、ロック部１３が栓体８から干渉位置に突出し、施錠軸３または受座本体２側に形成したロック受部１４の内面側に係合する。
【０００７】
請求項２の発明では、請求項１の発明の前記構成に加えて、前記ロック受部１４を挿入口６の縁面の邪魔突子によって構成し、栓体８の溝孔部３６に回転可能に収容保持したピン状のロック部材１１を錠前ユニット９のロータ１０に接続し、栓体８の前面部に前記ロック受部１４が通過する逃げ溝４２を形成し、該逃げ溝４２に連通可能な縦溝４３をロック部材１１の側面部に形成し、該縦溝４３の奥端部に横溝４４を形成し、前記ロック部１３を横溝４４の後側の溝壁面によって構成する。
【０００８】
【発明の作用】請求項１の発明では、ロックハンドル装置のキーハンドル７は、施錠軸３に連動装備した施錠部材が固定フレーム側の受金部（図示していない）に係合することによって、パネル１を閉鎖位置に錠止した回転位置において、施錠軸３のハンドル係脱溝５から引き抜かれる。キーハンドル７の抜き取りによって拘束部材４が作動するため、施錠軸３は受座本体２に対して回転不能に拘束される。
【０００９】
この施錠状態においては、図１５及び図１６に示したようにロック部材１１のロック部１３が施錠軸３側に形成したロック受部１４の内面側に対面係合するため、栓体８を挿入口６から抜き取ることはできない。鍵１２を錠前ユニット９から抜き取って置くことによって、ロック部材１１はロック受部１４との係合位置に保持され、挿入口６は栓体８によって閉塞された状態に堅持される。
【００１０】
キーハンドル７をハンドル係脱溝５に挿入して施錠軸３を解錠方向に回転操作したいときには、栓体８を挿入口６から取外す必要がある。
そのためには、鍵１２を錠前ユニット９に挿入してロータ１０を所定方向に所定角度回す。ロータ１０の回転に連動してロック部材１１が回転することによって、ロック部材１１のロック部１３が非干渉位置に退没する。この退避動作によって栓体８は、ロック部材１１のロック部１３が施錠軸３側のロック受部１４に突き当たることなく、挿入口６から抜き取られる。
【００１１】
請求項２の発明では、挿入口６の縁面に形成した邪魔突子がロック受部１４として利用されているため、本発明のガードロック装置を適用するに当って、ロックハンドル装置側に一部改変を施す必要がない。
【００１２】
【発明の実施の形態】図示の実施例では、パネル１は路上設置される通信ボックス等の扉パネルであり、パネル１の開閉層さと固定フレームに対する施錠に使用されるロックハンドル装置は、図１７に例示したような公知構造を採用している。この公知構造においては、受座本体２の前端には円盤状の取付フランジ１５が軸線と直交するように形成され、取付フランジ１５の後面には軸受筒部１６の両側に回転止めボス部１７が突設されている。軸受筒部１６はパネル１の取付孔１８に正面側から嵌挿され、回転止めボス部１７はパネル１の回転止め孔１９に挿入される。軸受筒部１６の外周螺子部２０には締付ナット２１が螺合され、取付フランジ１５と締付ナット２１の間にパッキング部材２２を挟み込んだ状態で受座本体２がパネル１に固着されている。
【００１３】
施錠軸３の前端には取付フランジ１５を被覆する短円筒状の連結フランジ２３が形成されており、ハンドル係脱溝５は連結フランジ２３の内部後面に施錠軸３を挟んで施錠軸３と直交方向に形成されている。ハンドル係脱溝５の矩形状の挿入口６は連結フランジ２３の側壁部に横長に開口されている。施錠軸３の前端部分には小判板形状の拘束部材４が軸方向に移動可能に嵌められており、バネ部材２４の付勢によって拘束部材４の一部はハンドル係脱溝５に相対回転不能に係合している。取付フランジ１５の前面には拘束部材４の残部が相対回転不能に係合する制止用凹部２５が形成されている。
【００１４】
ハンドル係脱溝５からキーハンドル７を抜き取った施錠状態においては、拘束部材４がハンドル係脱溝５と制止用凹部２５の双方に係合しているため、施錠軸３は受座本体２に対して回転不能に拘束されている。キーハンドル７の先端部には拘束部材４の前面側のカム面部２６に摺接する作動突子２７が形成されている。図１７は挿入口６からキーハンドル７を所定深さまでハンドル係脱溝５に挿入した状態を示しており、拘束部材４はバネ部材２４の付勢に抗して、その全部が制止用凹部２５に押し込まれており、受座本体２に対する施錠軸３の回転拘束が解除されている。
【００１５】
図１７ではロックハンドル装置の作動機構を具体的に詳細表示してあるが、その他の図においては、ロックハンドル装置の作動機構それ自体は本発明にとって重要な事項ではないので、簡略表示としてある。
【００１６】
挿入口６の長辺側縁面の中央部には、正規のキーハンドル７以外の物体の挿入を邪魔するための邪魔突子が三角形状に形成されており、この邪魔突子が本発明のロック受部１４を兼ねている。栓体８は矩形断面の厚板状に構成されており、栓体８の前部は摘み部を兼ねた錠前ユニット収容部が拡大形成されている。栓体８の前部の背面側にはバック板２８がビス２９によって接合固定されている。
【００１７】
栓体８の大径な略半円形状空間３０とバック板２８の大径な略半円形状空間３１には、錠前ユニット９の固定本体９ａが嵌め込まれ、該空間３０に交差した矩形状空間３２と該空間３１に交差した矩形状空間３３には、固定本体９ａの外周螺子部３４に螺合した抜け止めナット３５が嵌めこまれ、錠前ユニット９は栓体８の前後方向への移動を阻止されている。錠前ユニット９としては、鍵抜差し位置が２箇所となっている公知のシリンダー錠が使用されている。
【００１８】
栓体８の前記空間３１の後端中央部に連通した溝孔部３６には、錠前ユニット９のロータ９の後端部と段付きピン状のロック部材１１が回転可能に収容されており、ロック部材１１の一部周面は溝孔部３６に露出している。ロック部材１１の前端直径上に形成された連結突起３７は、ロータ９の後端面に形成した割溝部３８に嵌め込まれており、鍵１２によってロータ９を回したとき、ロック部材１１がロータ９と一体的に回転する。
【００１９】
ロック部材１１の先端部の小径軸部４０は栓体８の軸孔４１に嵌挿されている。軸孔４１を形成した部分の栓体８の前面部には、断面Ｖ字状の逃げ溝４２が形成されており、栓体８が挿入口６に挿入されるとき、前記邪魔突子すなわちロック受部１３は逃げ溝４２を通過する。ロック部材１１の側面部には、該逃げ溝４２に連通可能な断面Ｖ字状の縦溝４３が軸方向に一定長さまで形成されている。該縦溝４３の奥端部には円周方向に横溝４４が形成されている。横溝４４の内底面４５は平坦面に形成されている。横溝４４の後側の溝壁面はロック部１３を構成している。
【００２０】
錠前ユニット９のロータ１０が固定本体９ａに対して回転拘束された第１の鍵抜差し位置にあるときには、図６と図７に示したようにロック部材１１の縦溝４３は栓体８の逃げ溝４２に連通した位置にある。そのため、栓体８を挿入口６よりハンドル係脱溝５に所定深さまで挿入したとき、見掛け上、前記ロック受部１３は逃げ溝４２と縦溝４３を通過して、図１３及び図１４に示したように縦溝４３と横溝４４の交差部に到達する。
【００２１】
この段階で鍵１２をロータ１０の鍵孔に挿入し、ロータ１０を第２の鍵抜差し位置に向けて回すと、図１５に示したように横溝４４の後側の溝壁面すなわちロック部１３が前記ロック受部１４の背後位置に来ることになり、このロック部１３とロック受部１４の係合によって栓体８は挿入口６から抜き取れない状態にセットされる。この後、ロータ１０から鍵１２が抜き取られ、栓体８は挿入口６を閉塞した位置に拘束される。
栓体８の錠前ユニット収容部の後面部には連結フランジ２３の周面に突き当てられる位置決め用円弧面４６が形成され、バック板２８の後面にも同様な位置決め円弧面４７が形成されている。錠前ユニット９の固定本体９ａの後端段差部には別の抜け止めナット４８が螺合されている。
【００２２】
上記実施例では、ロック受部１４を施錠軸３の連結フランジ２３の挿入口６の縁面に設けたが、ロック受部１４は栓体８の抜き取りを阻止するために設けるものであるから、受座本体２の取付フランジ１５側に形成することもでき、その形成部位と形状は図示のものには限定されない。
【００２３】
【発明の効果】以上のように請求項１の発明の挿入口用ガードロック装置は、ロックハンドル装置のキーハンドル７の挿入口６に抜差しされる栓体８と、栓体８の前部に設けられた錠前ユニット９と、錠前ユニット９のロータ１０に連動装備して栓体８に収容されたロック部材１１とからなり、鍵１２によってロータ１０を解錠位置に回したときには、ロック部材１１のロック部１３が非干渉位置に退没する一方、栓体８を挿入口６に挿入してからロータ１０を施錠位置に回したときには、ロック部１３が栓体８から干渉位置に突出して、施錠軸３または受座本体２側のロック受部１４の内面側に係合するものであり、ロック部１３とロック受部１４が係合した段階で鍵１２を錠前ユニット９から抜き取ることによって、栓体８を挿入口６の閉塞位置に簡単かつ確実に拘束することができる。
【００２４】
そのため、挿入口６は通行人等によるガムは木の枝等といった異物の詰め込みから的確に防護され、必要なときに直ちにキーハンドル７を施錠軸３のハンドル係脱溝５に挿入し、施錠軸３を回してパネル１を開放することができる。
【００２５】
また、請求項２の発明の挿入口用ガードロック装置は、構成部品点数が少なくて構成が簡略化されているため、また、既存のロックハンドル装置の挿入口に形成されている邪魔突子をロック受部として使用しているため、既存のロックハンドル装置側にコスト高の要因となる一部改変を施す必要が全くなく、製作コストの節減が可能である。
【図面の簡単な説明】
【図１】本発明の一実施例に係る挿入口用ガードロック装置の正面図である。
【図２】図１の挿入口用ガードロック装置の平面図である。
【図３】図１のＡ−Ａ線要部断面図である。
【図４】図１の挿入口用ガードロック装置に用いたロック部材の正面図である。
【図５】図４のロック部材の底面図である。
【図６】図１のＢ−Ｂ線断面図である。
【図７】図１のＣ−Ｃ線断面図である。
【図８】図１の挿入口用ガードロック装置の栓体をロックハンドル装置に挿入する直前の正面図である。
【図９】図８に示したロックハンドル装置の底面図である。
【図１０】図８に示したロックハンドル装置に挿入口用ガードロック装置の栓体を挿入した状態の底面図である。
【図１１】図１の挿入口用ガードロック装置の栓体を図８のロックハンドル装置に挿入する直前における要部縦断右側面図である。
【図１２】図１の挿入口用ガードロック装置の栓体を図８のロックハンドル装置に挿入した直後の状態における要部縦断正面図である。
【図１３】図１の挿入口用ガードロック装置の栓体を図８のロックハンドル装置に挿入した直後の状態における要部縦断右側面図である。
【図１４】図１３のＤ−Ｄ線断面図であり、栓体を挿入口に挿入した直後におけるロック部とロック受部の位置関係を示している。
【図１５】図１３のＤ−Ｄ線断面図であり、栓体を挿入口に挿入してから、鍵でロータを回転したときにおけるロック部とロック受部の位置関係を示している。
【図１６】図１の挿入口用ガードロック装置を図８のロックハンドル装置に挿入してから、鍵でロータを回したときの要部縦断右側面図である。
【図１７】図１の挿入口用ガードロック装置が使用される既存のロックハンドル装置のキーハンドルう挿入状態の縦断面図である。
【符号の説明】
１  パネル
２  受座本体
３  施錠軸
４  拘束部材
５  ハンドル係脱溝
６  挿入口
８  栓体
９  錠前ユニット
１０  ロータ
１１  ロック部材
１２  鍵
１３  ロック部
１４  ロック受部
【図１】
2004257200.tif 000003
【図２】
2004257200.tif 000004
【図３】
2004257200.tif 000005
【図４】
2004257200.tif 000006
【図５】
2004257200.tif 000007
【図６】
2004257200.tif 000008
【図７】
2004257200.tif 000009
【図８】
2004257200.tif 000010
【図９】
2004257200.tif 000011
【図１０】
2004257200.tif 000012
【図１１】
2004257200.tif 000013
【図１２】
2004257200.tif 000014
【図１３】
2004257200.tif 000015
【図１４】
2004257200.tif 000016
【図１５】
2004257200.tif 000017
【図１６】
2004257200.tif 000018
【図１７】
2004257200.tif 000019